【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
記録材に光を照射する照射手段と、
前記照射手段と前記記録材の間に配置され、前記照射手段によって照射された光が透過する透過部材であって、前記記録材と向かい合う面において、前記記録材と接触する接触部と、前記記録材と接触しない非接触部を含む前記透過部材と、
前記透過部材の前記非接触部を透過し、前記記録材を透過した光を検出する検出手段と、を有し、前記検出手段の出力に基づいて、前記記録材に画像が形成される場合の画像形成条件が制御されることを特徴とする記録材検出装置。
【請求項２】
前記透過部材と対向した位置に配置され、前記透過部材との間で記録材を挟持することが可能な対向部材と、を有することを特徴とする請求項１に記載の記録材検出装置。
【請求項３】
前記記録材の搬送方向から見て、前記照射手段と前記検出手段を結んだ直線上において、前記透過部材は前記記録材と接触しないことを特徴とする請求項２に記載の記録材検出装置。
【請求項４】
前記記録材の搬送方向から見て、前記非接触部は複数の前記接触部の間に形成されていることを特徴とする請求項３に記載の記録材検出装置。
【請求項５】
前記記録材の搬送方向と直交する方向から見て、前記照射手段と前記検出手段を結んだ直線上において、前記透過部材は前記記録材と接触しないことを特徴とする請求項２に記載の記録材検出装置。
【請求項６】
前記記録材の搬送方向と直交する方向から見て、前記非接触部は複数の前記接触部の間に形成されていることを特徴とする請求項５に記載の記録材検出装置。
【請求項７】
前記記録材の搬送方向と直交する方向から見て、１つの前記接触部に対して前記記録材の搬送方向の上流側又は下流側に前記非接触部が形成されていることを特徴とする請求項５に記載の記録材検出装置。
【請求項８】
前記透過部材は曲線部を有し、前記曲線部と前記対向部材の間に前記記録材の先端が突入するように前記記録材が搬送されることを特徴とする請求項２乃至７のいずれか１項に記載の記録材検出装置。
【請求項９】
前記透過部材は弾性部材によって前記対向部材に対して押さえつけられていることを特徴とする請求項２乃至８のいずれか１項に記載の記録材検出装置。
【請求項１０】
前記透過部材は前記照射手段によって照射された光を透過させつつ、拡散させる拡散部材であることを特徴とする請求項１乃至９のいずれか１項に記載の記録材検出装置。
【請求項１１】
前記検出手段は前記記録材を透過した光を記録材の画像として撮像する撮像手段であることを特徴とする請求項１乃至１０のいずれか１項に記載の記録材検出装置。
【請求項１２】
記録材に光を照射する照射手段と、
前記照射手段と前記記録材の間に配置され、前記照射手段によって照射された光が透過する透過部材であって、前記記録材と向かい合う面において、前記記録材と接触する接触部と、前記記録材と接触しない非接触部を含む前記透過部材と、
前記透過部材の前記非接触部を透過し、前記記録材を透過した光を検出する検出手段と、
前記記録材に画像を形成する画像形成手段と、を有し、前記検出手段の出力に基づいて、前記記録材に画像が形成される場合の前記画像形成手段の画像形成条件を制御することを特徴とする画像形成装置。
【請求項１３】
前記透過部材と対向した位置に配置され、前記透過部材との間で記録材を挟持することが可能な対向部材と、を有することを特徴とする請求項１２に記載の画像形成装置。
【請求項１４】
前記記録材の搬送方向から見て、前記照射手段と前記検出手段を結んだ直線上において、前記透過部材は前記記録材と接触しないことを特徴とする請求項１３に記載の画像形成装置。
【請求項１５】
前記記録材の搬送方向から見て、前記非接触部は複数の前記接触部の間に形成されていることを特徴とする請求項１４に記載の画像形成装置。
【請求項１６】
前記記録材の搬送方向と直交する方向から見て、前記照射手段と前記検出手段を結んだ直線上において、前記透過部材は前記記録材と接触しないことを特徴とする請求項１３に記載の画像形成装置。
【請求項１７】
前記記録材の搬送方向と直交する方向から見て、前記非接触部は複数の前記接触部の間に形成されていることを特徴とする請求項１６に記載の画像形成装置。
【請求項１８】
前記記録材の搬送方向と直交する方向から見て、１つの前記接触部に対して前記記録材の搬送方向の上流側又は下流側に前記非接触部が形成されていることを特徴とする請求項１６に記載の画像形成装置。
【請求項１９】
記録材を搬送する搬送手段と、を有し、
前記透過部材は曲線部を有し、前記曲線部と前記対向部材の間に前記記録材の先端が突入するように前記搬送手段は前記記録材を搬送することを特徴とする請求項１３乃至１８のいずれか１項に記載の画像形成装置。
【請求項２０】
前記透過部材は弾性部材によって前記対向部材に対して押さえつけられていることを特
徴とする請求項１３乃至１９のいずれか１項に記載の画像形成装置。
【請求項２１】
前記透過部材は前記照射手段によって照射された光を透過させつつ、拡散させる拡散部材であることを特徴とする請求項１２乃至２０のいずれか１項に記載の画像形成装置。
【請求項２２】
前記検出手段は前記記録材を透過した光を記録材の画像として撮像する撮像手段であることを特徴とする請求項１２乃至２１のいずれか１項に記載の画像形成装置。
【請求項２３】
前記画像形成条件とは、記録材の搬送速度であることを特徴とする請求項１２乃至２２のいずれか１項に記載の画像形成装置。
【手続補正２】
【補正対象書類名】明細書
【補正対象項目名】発明の名称
【補正方法】変更
【補正の内容】
【発明の名称】記録材検出装置及び画像形成装置
【手続補正３】
【補正対象書類名】明細書
【補正対象項目名】０００１
【補正方法】変更
【補正の内容】
【０００１】
本発明は、記録材の種類を検出する記録材検出装置、及びこれを備えた画像形成装置に関するものである。
【手続補正４】
【補正対象書類名】明細書
【補正対象項目名】０００５
【補正方法】変更
【補正の内容】
【０００５】
上記目的を達成するために本発明にあっては、
記録材に光を照射する照射手段と、
前記照射手段と前記記録材の間に配置され、前記照射手段によって照射された光が透過する透過部材であって、前記記録材と向かい合う面において、前記記録材と接触する接触部と、前記記録材と接触しない非接触部を含む前記透過部材と、
前記透過部材の前記非接触部を透過し、前記記録材を透過した光を検出する検出手段と、を有し、前記検出手段の出力に基づいて、前記記録材に画像が形成される場合の画像形成条件が制御されることを特徴とする。
また、上記目的を達成するために本発明にあっては、
記録材に光を照射する照射手段と、
前記照射手段と前記記録材の間に配置され、前記照射手段によって照射された光が透過する透過部材であって、前記記録材と向かい合う面において、前記記録材と接触する接触部と、前記記録材と接触しない非接触部を含む前記透過部材と、
前記透過部材の前記非接触部を透過し、前記記録材を透過した光を検出する検出手段と、
前記記録材に画像を形成する画像形成手段と、を有し、前記検出手段の出力に基づいて、前記記録材に画像が形成される場合の前記画像形成手段の画像形成条件を制御することを特徴とする。